(57)【要約】【課題】特殊な情報を用いることなくテロップ等の人工的画像の削除された良好な画像を提示可能とする。【解決手段】高解像度画像信号によるフルセグ画像からテロップ等の人工的画像が存在するテロップ領域を検出する。低解像度画像信号によるワンセグ画像の画素数を増大して、拡大画像信号を得る。高解像度画像信号から、テロップ領域ＴＬarに対応した画素信号を除去する。また、拡大画像信号から、テロップ領域に対応した画素信号を切り出す。テロップ領域に対応した画素信号が除去された高解像度画像信号に、拡大画像信号から切り出された画素信号を合成して、テロップ等の人工的画像が削除された画像を提示する合成画像信号を生成する。例えば、地上波デジタル放送信号から受信される画像信号を用いて、あるいは蓄積部に蓄積されている画像信号を用いて、上述した合成画像信号を生成する。【選択図】図５
2007336405.tif 000002
【特許請求の範囲】
【請求項１】
第１の画像信号による第１の画像から人工的画像が存在する所定領域を検出する領域検出部と、
上記第１の画像信号から、上記領域検出部で検出された上記所定領域に対応した画素信号を除去する領域除去部と、
上記第１の画像と同一のコンテンツに係る画像であって上記領域検出部で検出された上記所定領域に上記人工的画像が存在しない第２の画像を表示する第２の画像信号から、上記領域検出部で検出された上記所定領域に対応した画素信号を切り出す領域切り出し部と、
上記領域除去部で上記所定領域に対応した画素信号が除去された上記第１の画像信号に、上記領域切り出し部で上記第２の画像信号から切り出された上記所定領域に対応した画素信号を合成して合成画像信号を生成する合成部と
を備えることを特徴とする画像信号処理装置。
【請求項２】
上記第１の画像信号を受信し、該第１の画像信号を上記領域検出部および上記領域除去部に供給する第１の受信部と、
上記第２の画像信号を受信し、該第２の画像信号を上記領域切り出し部に供給する第２の受信部とをさらに備える
ことを特徴とする請求項１に記載の画像信号処理装置。
【請求項３】
上記合成部で生成された合成画像信号を蓄積部に記録する記録部をさらに備える
ことを特徴とする請求項２に記載の画像信号処理装置。
【請求項４】
上記第１の受信部および上記第２の受信部は、それぞれ、同一の放送信号から、上記第１の画像信号および上記第２の画像信号を取得する
ことを特徴とする請求項２に記載の画像信号処理装置。
【請求項５】
上記第１の画像信号を受信する第１の受信部と、
上記第２の画像信号を受信する第２の受信部と、
上記第１の受信部で受信された第１の画像信号および上記第２の受信部で受信された第２の画像信号を蓄積部に記録する記録部と、
上記蓄積部から上記第１の画像信号を再生して上記領域検出部および上記領域除去部に供給すると共に、上記蓄積部から上記第２の画像信号を再生して上記領域切り出し部に供給する再生部とをさらに備える
ことを特徴とする請求項１に記載の画像信号処理装置。
【請求項６】
上記合成部で生成された合成画像信号を蓄積部に記録する記録部をさらに備える
ことを特徴とする請求項５に記載の画像信号処理装置。
【請求項７】
上記第１の受信部および上記第２の受信部は、それぞれ、同一の放送信号から、上記第１の画像信号および上記第２の画像信号を取得する
ことを特徴とする請求項５に記載の画像信号処理装置。
【請求項８】
上記第１の画像信号は第１の解像度に係る画像信号であり、上記第２の画像信号は上記第１の解像度より低い第２の解像度に係る画像信号であって、
上記第２の画像信号に対して画素数増大処理を施して、上記第１の画像信号に相当する拡大画像信号を生成し、該拡大画像信号を上記領域切り出し部に供給する画像拡大部をさらに備える
ことを特徴とする請求項１に記載の画像信号処理装置。
【請求項９】
第１の画像信号による第１の画像から人工的画像が存在する所定領域を検出する領域検出ステップと、
上記第１の画像信号から、上記領域検出ステップで検出された上記所定領域に対応した画素信号を除去する領域除去ステップと、
上記第１の画像と同一のコンテンツに係る画像であって上記領域検出ステップで検出された上記所定領域に上記人工的画像が存在しない第２の画像を表示する第２の画像信号から、上記領域検出ステップで検出された上記所定領域に対応した画素信号を切り出す領域切り出しステップと、
上記領域除去ステップで上記所定領域に対応した画素信号が除去された上記第１の画像信号に、上記領域切り出しステップで上記第２の画像信号から切り出された上記所定領域に対応した画素信号を合成して合成画像信号を生成する合成ステップと
を備えることを特徴とする画像信号処理方法。
【発明の詳細な説明】
【技術分野】
【０００１】
この発明は、例えば地上波デジタル放送の受信装置等に適用して好適な画像信号の処理装置および処理方法に関する。
【０００２】
詳しくは、この発明は、第１の画像信号による第１の画像からテロップなどの人工的画像が存在する所定領域を検出し、第１の画像信号のうち、当該所定領域に対応した画素信号を、第１の画像と同一のコンテンツに係る画像であって、当該所定領域に人工的画像が存在しない第２の画像を表示する第２の画像信号の画素信号で置き換えて合成画像信号を生成することによって、特殊な情報を用いることなくテロップ等の人工的画像が削除された良好な画像を提示できるようにした画像信号の処理装置および処理方法に係るものである。
【背景技術】
【０００３】
放送で送信されてくる画像信号には、例えば時刻表示、天気予報、地震速報、選挙速報、画像内容を説明する字幕などといったテロップ等の人工的画像を表示する信号（以下、単に、「テロップ信号」という）が挿入されていることがある。このようなテロップ信号が画像信号に挿入されていることで、視聴者は、本来の画像を見ることがきる他、種々の情報を得ることができる。
【０００４】
しかし、上述したような種々の情報を不要とする場合がある。特に、放送で送信されてくる画像信号を記録しその後に再生して視聴する場合であって放送時から視聴までに十分に時間が経っている場合には、当該種々の情報は不要であることが多い。
【０００５】
例えば特許文献１には、画像信号に挿入されたテロップ信号を、補間信号を用いて削除することが記載されている。
【特許文献１】特開平９−２００６８４号公報
【発明の開示】
【発明が解決しようとする課題】
【０００６】
特許文献１における補間信号は、実際の補間データの他に、補間データ挿入位置などの情報を含む特殊な情報である。そして、この補間信号は、画像信号とは別に伝送される。例えば、特許文献１には、補間信号の伝送手段として、ファクシミリ放送におけるファクシミリチャネル信号を利用できることが記載されている。このように、特許文献１に記載される技術は、画像信号とは異なる情報である補間信号を必要とするものであり、放送局において、画像信号と共に、例えばファクシミリ信号のデータとして補間信号を送る必要がある。つまり、放送局からこのような補間信号の送信がない場合には、テロップ信号を削除することができない。
【０００７】
この発明の目的は、特殊な情報を用いることなくテロップ等の人工的画像の削除された良好な画像を提示可能とすることにある。
【課題を解決するための手段】
【０００８】
この発明の概念は、
第１の画像信号による第１の画像から人工的画像が存在する所定領域を検出する領域検出部と、
上記第１の画像信号から、上記領域検出部で検出された上記所定領域に対応した画素信号を除去する領域除去部と、
上記第１の画像と同一のコンテンツに係る画像であって上記領域検出部で検出された上記所定領域に上記人工的画像が存在しない第２の画像を表示する第２の画像信号から、上記領域検出部で検出された上記所定領域に対応した画素信号を切り出す領域切り出し部と、
上記領域除去部で上記所定領域に対応した画素信号が除去された上記第１の画像信号に、上記領域切り出し部で上記第２の画像信号から切り出された上記所定領域に対応した画素信号を合成して合成画像信号を生成する合成部と
を備えることを特徴とする画像信号処理装置にある。
【０００９】
この発明においては、第１の画像信号による第１の画像からテロップ等の人工的画像が存在する所定領域が検出される。この所定領域の検出は、例えば、この第１の画像信号を構成する各画素信号の水平、垂直のそれぞれの方向におけるレベル分布に基づいて、あるいはこの第１の画像信号と第２の画像信号の対応する画素同士の差分に基づいて、行われる。
【００１０】
第１の画像信号から、人工的画像が存在する所定領域に対応した画素信号が除去される。例えば、第１の画像信号は第１の受信部で受信され、この第１の受信部から、上述した人工的画像が存在する所定領域を検出する領域検出部、および上述した第１の画像信号から当該所定領域に対応した画素信号を除去する領域除去部に供給される。
【００１１】
第２の画像信号から、人工的画像が存在する所定領域に対応した画素信号が切り出される。この第２の画像信号は、第１の画像と同一のコンテンツに係る画像であって、当該所定の領域に人工的画像が存在しない第２の画像を表示するものである。なお、第２の画像が第１の画像と同一のコンテンツに係る画像であるか否かは、例えば第１、第２の画像信号に含まれる識別子を用いて判断するか、これら第１、第２の画像信号に含まれるメタデータとしてのタイトルを比較して判断するか、あるいはそれぞれの画像の特徴を検出して判断することができる。
【００１２】
例えば、第２の画像信号は第２の受信部で受信され、この第２の受信部から、上述した人工的画像が存在する所定領域に対応した画素信号を切り出す領域切り出し部に供給される。なお、第１の画像信号が第１の解像度に係る画像信号であり、第２の画像信号が第１の解像度より低い第２の解像度に係る画像信号である場合には、第２の画像信号に対して画素数増大処理が施されて第１の画像信号に相当する拡大画像信号が生成され、この拡大画像信号が領域切り出し部に供給される
【００１３】
ここで、上述した第１の画像信号および第２の画像信号は、同一の経路で取得されるか、あるいは異なる経路で取得される。異なる経路としては、例えば第１の画像信号が地上波放送信号あるいは衛星放送信号から取得され、第２の画像信号がインターネット放送信号、あるいはＤＶＤプレーヤの再生信号から取得される場合が考えられる。同一の経路としては、例えば第１、第２の画像信号が同一の放送信号から取得される場合が考えられる。
【００１４】
人工的画像が存在する所定領域に対応した画素信号が除去された第１の画像信号に、第２の画像信号から切り出された当該所定領域に対応した画素信号が合成されて合成画像信号が生成される。例えば、第１の画像信号と第２の画像信号の境界部分（所定領域の外枠部分）はローパスフィルタが通されて当該境界部分がぼやかされるようにしてもよい。この合成画像信号による画像は、テロップ等の人工的画像が削除されたものとなる。
【００１５】
このように、第１の画像を表示する第１の画像信号のうち、人工的画像が存在する所定領域に対応した画素信号を、第１の画像と同一のコンテンツに係る画像であって、当該所定領域に人工的画像が存在しない第２の画像を表示する第２の画像信号の画素信号で置き換えて合成画像信号を生成するものであり、特殊な情報を用いることなくテロップ等の人工的画像が削除された良好な画像を提示できる。
【００１６】
なお、上述した第１、第２の受信部で受信された第１、第２の画像信号を直接処理して上述したように合成画像信号を得るようにしてもよく、あるいは上述した第１、第２の受信部で受信された第１、第２の画像信号を一旦蓄積部に記録し、その後にこの蓄積部から再生された第１、第２の画像信号を処理して上述したように合成画像信号を得るようにしてもよい。
【００１７】
また、合成画像信号を画像表示部に直接供給してもよく、あるいはこの合成画像信号を一旦蓄積部に記録し、その後にこの蓄積部から再生して画像表示部に供給してもよい。
【発明の効果】
【００１８】
この発明によれば、第１の画像信号による第１の画像からテロップなどの人工的画像が存在する所定領域を検出し、第１の画像信号のうち、当該所定領域に対応した画素信号を、第１の画像と同一のコンテンツに係る画像であって、当該所定領域に人工的画像が存在しない第２の画像を表示する第２の画像信号の画素信号で置き換えて合成画像信号を生成するものであり、特殊な情報を用いることなくテロップ等の人工的画像が削除された良好な画像を提示できる。
【発明を実施するための最良の形態】
【００１９】
以下、図面を参照しながら、この発明の実施の形態について説明する。図１は、実施の形態としての受信装置１００の構成を示している。この受信装置１００は地上波デジタル放送に対応したものである。
【００２０】
地上波デジタル放送の伝送方式として、ＯＦＤＭ技術を用いたＩＳＤＢ−Ｔ（Integrated Services Digital Broadcasting for Terrestrial）がＡＲＩＢ（Association of Radio Industries and Business：社団法人電波産業会）により規格化されている。
【００２１】
ＯＦＤＭ変調方式は、マルチキャリア変調方式の一種であり、隣接間で互いに直交する多数のキャリアに直並列変換された符号化データ（情報シンボル）を割り当て、逆高速フーリエ変換（Invert Fast Fourier Transform：ＩＦＦＴ）によって一括して時間領域の信号に変調した後に、直交変調によりＯＦＤＭ信号を生成して伝送するというものである。
【００２２】
また、ＯＦＤＭ変調方式はマルチキャリア変調方式であることから、キャリア毎に変調方式を設定することができ、ＩＳＤＢ−Ｔでは、伝送するビットレートに応じて、ＤＱＰＳＫ、ＱＰＳＫ、１６ＱＡＭ、６４ＱＡＭを割り付けることが可能とされている。
【００２３】
また、ＩＳＤＢ−Ｔは、ＵＨＦ帯の６Ｍの周波数帯域を１３個のセグメントと呼ばれる帯域に分割した方式（セグメント構造）を採用しており、セグメント毎に変調方式が設定可能であり、最大３階層の階層変調を行うことができるという特徴を有している。
【００２４】
この受信装置１００は、地上波デジタル放送の受信アンテナ１０１と、フルセグ受信部１０２と、テロップ領域検出部１０３と、テロップ領域除去部１０４と、ワンセグ受信部１０５と、画像拡大部１０６と、テロップ領域切り出し部１０７と、合成部１０８と、記録部１０９と、蓄積部１１０と、再生部１１１と、表示部１１２とを有している。
【００２５】
周知のように、地上波デジタル放送は、帯域幅６ＭＨｚに１チャネルが割り当てられ、６ＭＨｚの帯域のうち、ガードバンドとして４２９ｋＨｚを割り当て、残りの帯域幅を１３個のセグメント（ＯＦＤＭセグメント）に分割したＯＦＤＭ(Orthogonal Frequency Division Multiplexing)方式によって放送されている。
【００２６】
図２に示すように、１３セグメントのうち、中央部の１セグメントは携帯受信機向けの部分受信階層に割り当てられている。この部分受信階層に割り当てられた１セグメントは、このセグメント内のみで周波数インターリーブが行われている。なお、残りの１２セグメントで、例えばハイビジョン（ＨＤＴＶ）放送を行えるようになっている。
【００２７】
この実施の形態では、説明を簡単にするため、各チャネルにおいて、部分受信階層に割り当てられた１セグメントを除いた１２セグメントでハイビジョン放送が行われていると共に、このハイビジョン放送の番組内容と部分受信階層に割り当てられた１セグメントで行われる放送の番組内容とは一致しており、同一のコンテンツ画像に係るものであるとする（サイマル放送）。
【００２８】
フルセグ受信部１０２は、受信アンテナ１０１で捉えられた所定チャネルの地上波デジタル放送信号から、上述した部分受信階層に割り当てられた１セグメントを除いた残りの１２セグメントで行われる高解像度（１９２０×１０８０画素）のハイビジョン放送を受信する。すなわち、このフルセグ受信部１０２は、周波数インターリーブをこの残りの１２セグメントで行うモードの受信機からなっている。なお、この高解像度のハイビジョン放送で送られてくる高解像度デジタル画像信号（第１の画像信号）は暗号化されている。
【００２９】
テロップ領域検出部１０３は、フルセグ受信部１０２で得られる高解像度デジタル画像信号による画像からテロップ等の人工的画像が存在する所定領域（以下、「テロップ領域」という）を検出する。このテロップ領域検出部１０３は、例えば、高解像度デジタル画像信号を構成する各画素信号の水平、垂直のそれぞれの方向におけるレベル分布に基づいて、テロップ領域を検出する。
【００３０】
図３を用いて、このテロップ領域検出部１０３におけるテロップ領域の検出処理について説明する。このテロップ領域検出部１０３では、垂直方向のテロップ領域と水平方向のテロップ領域とをそれぞれ検出し、双方に含まれる領域をテロップ領域とする。
【００３１】
垂直方向のテロップ領域の検出方法を説明する。図３の左側には水平方向にＭ画素、垂直方向にＮ画素の画素構造を示している。フルセグ受信部１０２で得られる高解像度デジタル画像信号では、Ｍ＝１９２０，Ｎ＝１０８０である。垂直方向に位置する０〜Ｎ−１の各行につき、０〜Ｍ−１の各列の画素を、その信号レベルで、０〜５０、５１〜１００、１０１〜１５０，１５１〜２００，２０１〜１５５の各段階に分けていき、図３の右側に示すようなヒストグラムを作成する。
【００３２】
そして、テロップなどの人工的画像を構成する画素と同様の信号レベルを持つ画素(なお、図３では、信号レベルが２０１〜１５５にある画素)の個数が閾値ＮＭth以上である領域を垂直方向のテロップ領域Ｖarとする。同様にして、水平方向のテロップ領域Ｈarも検出し、最終的に、図３の左側に示すように、テロップ領域ＴＬarを検出する。
【００３３】
テロップ領域除去部１０４は、テロップ領域検出部１０３で検出されたテロップＴＬarに基づき、フルセグ受信部１０２で得られる高解像度デジタル画像信号から、テロップ領域ＴＬarに対応した画素信号を除去する。
【００３４】
ワンセグ受信部１０５は、受信アンテナ１０１で捉えられた所定チャネルの地上波デジタル放送信号から、上述した部分受信階層に割り当てられた１つのセグメントで行われる低解像度（３２０×２４０画素）の放送を受信する。すなわち、ワンセグ受信部１０５は、周波数インターリーブを中央部の１個のセグメントで行うモードの受信機を構成している。なお、この低解像度の放送で送られてくる低解像度デジタル画像信号（第２の画像信号）は暗号化されていない。
【００３５】
画像拡大部１０６は、ワンセグ受信部１０５で得られる低解像度デジタル画像信号に対して画素数増大処理を施して、フルセグ受信部１０２で得られる高解像度デジタル画像信号に相当する拡大画像信号を生成する。この場合、図４に示すように、低解像度デジタル画像信号の３２０×２４０画素（ワンセグサイズ）が、線形補間などによって、１９２０×１０８０画素（フルセグサイズ）に画素数が増大される。
【００３６】
テロップ領域切り出し部１０７は、テロップ領域検出部１０３で検出されたテロップ領域ＴＬarに基づき、画像拡大部１０６で得られる拡大画像信号から、テロップ領域ＴＬarに対応した画素信号を切り出す。
【００３７】
合成部１０８は、テロップ領域除去部１０４で得られる、テロップ領域ＴＬarに対応した画素信号が除去された高解像度デジタル画像信号に、テロップ領域切り出し部１０７で拡大画像信号から切り出されたテロップ領域ＴＬarに対応した画素信号を合成して合成画像信号を生成する。この場合、テロップ領域除去部１０４、テロップ領域切り出し部１０７および合成部１０８で、高解像度デジタル画像信号のうち、テロップ領域ＴＬarに対応した画素信号を、低解像度デジタル画像信号から生成された拡大画像信号の当該テロップ領域ＴＬarの画素信号で置き換えることが行われる。
【００３８】
なお、この合成部１０８では、高解像度デジタル画像信号と拡大画像信号との境界部分（テロップ領域の外枠部分）ではローパスフィルタを通して当該境界部分をぼやかし、その境界が目立つことを防止するようにしてもよい。
【００３９】
記録部１０９は、合成部１０８で生成された合成画像信号を、蓄積部１１０に記録する。この場合、合成画像信号に対して蓄積部１１０に記録する際に適した誤り訂正符号化、変調等が行われる。蓄積部１１０は、ＨＤＤ(Hard Disk Drive)、半導体メモリ等で構成される。この蓄積部１１０では、記録メディアが着脱自在とされていてもよい。
【００４０】
再生部１１１は、蓄積部１１０に蓄積されている合成画像信号を再生し、それに対して誤り訂正、復調等を行う。表示部１１２は、再生部１１１で得られた合成画像信号による画像を表示する。表示部１１２は、例えばＬＣＤ(Liquid Crystal Display)、ＰＤＰ(Plasma DisplayPane)等の画像表示素子を用いて構成されている。
【００４１】
図１に示す受信装置１００の動作を、図５を参照して説明する。受信アンテナ１０１で捉えられた地上波デジタル放送信号はフルセグ受信部１０２およびワンセグ受信部１０５に供給される。フルセグ受信部１０２では所定チャネルの放送信号から高解像度デジタル画像信号が取得される。図５Ａは、この高解像度デジタル画像信号による画像（フルセグ画像）の一例を示している。このフルセグ画像には、本来の画像と共に、テロップなどの人工的画像（「○○○子」の部分）が表示されている。この高解像度デジタル画像信号はテロップ領域検出部１０３およびテロップ領域除去部１０４に供給される。
【００４２】
テロップ領域検出部１０３では、フルセグ受信部１０２で得られる高解像度デジタル画像信号による画像から、テロップ等の人工的画像が存在するテロップ領域ＴＬarが検出される。図５Ｂは、検出されたテロップ領域ＴＬarの一例を示している。
【００４３】
テロップ領域除去部１０４では、フルセグ受信部１０２で得られる高解像度デジタル画像信号から、テロップ領域ＴＬarに対応した画素信号が除去される。図５Ｃは、このテロップ領域ＴＬarに対応した画素信号が除去された高解像度デジタル画像信号による画像の一例を示しており、テロップ領域ＴＬarが除去されたものとなる。
【００４４】
ワンセグ受信部１０５では所定チャネルの放送信号から低解像度デジタル画像信号が取得される。図５Ｄは、低解像度デジタル画像信号による画像（ワンセグ画像）の一例を示している。この低解像度デジタル画像信号は画像拡大部１０６に供給される。
【００４５】
この画像拡大部１０６では、ワンセグ受信部１０５で得られる低解像度デジタル画像信号に対して画素数増大処理が施され、画素数が３２０×２４０画素から１９２０×１０８０画素に増大されて、高解像度デジタル画像信号に相当する拡大画像信号が生成される。この場合、図４に示すように、低解像度デジタル画像信号の３２０×２４０画素（ワンセグサイズ）が、線形補間などによって、１９２０×１０８０画素（フルセグサイズ）に画素数が増大される。図５Ｅは、拡大画像信号による画像（ワンセグ拡大画像）の一例を示している。このワンセグ拡大画像には、本来の画像のみが表示されている。この拡大画像信号はテロップ領域切り出し部１０７に供給される。
【００４６】
テロップ領域切り出し部１０７では、画像拡大部１０６で得られる拡大画像信号から、テロップ領域ＴＬarに対応した画素信号が切り出される。図５Ｆは、このテロップ領域ＴＬarに対応して切り出された画素信号による画像の一例を示しておいる。このテロップ領域切り出し部１０７で切り出されたテロップ領域ＴＬarに対応した画素信号は合成部１０８に供給される。
【００４７】
合成部１０８には、テロップ領域除去部１０４でテロップ領域ＴＬarに対応した画素信号が除去された高解像度デジタル画像信号も供給される。そして、この合成部１０８では、この高解像度デジタル画像信号に、テロップ領域切り出し部１０７で切り出されたテロップ領域ＴＬarに対応した画素信号が合成され、合成画像信号が生成される。図５Ｇは、この合成画像信号による画像の一例を示しており、テロップ等の人工的画像が削除されている。
【００４８】
この合成部１０８で生成された合成画像信号は、記録部１０９で、誤り訂正符号化、変調等の処理が施されて、蓄積部１１０に記録される。また、この蓄積部１１０から再生部１１１で再生される合成画像信号は誤り訂正、復調等の処理が施された後に表示部１１２に供給され、合成画像信号による画像（図５Ｇ参照）が表示される。
【００４９】
このように、図１に示す受信装置１００によれば、フルセグ画像（第１の画像）を表示する高解像度デジタル画像信号（第１の画像信号）のうち、テロップ等の人工的画像が存在するテロップ領域ＴＬarに対応した画素信号を、フルセグ画像と同一のコンテンツに係る画像であって、当該テロップ領域ＴＬarにテロップ等の人工的画像が存在しないワンセグ画像（第２の画像）を表示する低解像度デジタル画像信号（第２の画像信号）の画素信号で置き換えて合成画像信号を生成するものであり、特殊な情報、例えば挿入位置等の情報を持つ補間信号を用いることなく、テロップ等の人工的画像が削除された良好な画像を提示できる。
【００５０】
なお、図１に示す受信装置１００においては、合成部１０８で生成される合成画像信号を、蓄積部１１０を介して表示部１１２に供給するものであるが、合成部１０８から表示部１１２に合成画像信号を直接供給する構成とすることもできる。
【００５１】
次に、この発明の他の実施の形態について説明する。図６は、他の実施の形態としての受信装置１００Ａの構成を示している。この受信装置１００Ａも地上波デジタル放送に対応したものである。この図６において、図１と対応する部分には同一符号を付し、その詳細説明は省略する。
【００５２】
図６に示す受信装置１００Ａにおいては、テロップ領域ＴＬarの検出を、フルセグ受信部１０２で得られる高解像度デジタル画像信号と画像拡大部１０６で得られる拡大画像信号の対応する画素同士の差分に基づいて、行われる。
【００５３】
この受信装置１００Ａは、差分検出部１１３と、テロップ領域検出部１０３Ａとを有している。差分検出部１１３は、フルセグ受信部１０２で得られる高解像度デジタル画像信号と画像拡大部１０６で得られる拡大画像信号の対応する画素同士の差分を検出する。この場合、図７に示すように、フルセグ画像の各画素の信号と、ワンセグ拡大画像の各画素の信号とが用いられ、画素毎に、差分が検出される。
【００５４】
テロップ検出部１０３Ａは、差分検出部１１３で検出された各画素の差分に基づき、差分絶対値が所定値以上となる画素領域をテロップ領域ＴＬarとする。フルセグ画像にテロップなどの人工的画像が存在する領域が存在する場合、その領域の画素信号のレベルは、ワンセグ拡大画像の本来の画像の画素信号のレベルとは、異なっている。したがって、その人工的画像が存在する領域の画素に対応した差分絶対値は大きくなるので、この差分絶対値が所定値以上となる画素領域をテロップ領域ＴＬarとできる。
【００５５】
なお、詳細説明は省略するが、図６に示す受信装置１００Ａにおいて、その他は、図１に示す受信装置１００と同様に構成され、同様の動作をする。この図６に示す受信装置１００Ａにおいても、図１に示す受信装置１００と同様の効果を得ることができる。
【００５６】
次に、この発明のさらに他の実施の形態について説明する。図８は、他の実施の形態としての受信装置１００Ｂの構成を示している。この図８において、図１と対応する部分には同一符号を付し、その詳細説明は省略する。
【００５７】
図１に示す受信装置１００では、フルセグ受信部１０２およびワンセグ受信部１０５で得られる画像信号を用いてテロップ等の人工的画像を削除した画像を提示できる合成画像信号を生成し、この合成画像信号を、蓄積部１１０を介して表示部１１２に供給する構成となっている。
【００５８】
これに対して、図８に示す受信装置１００Ｂでは、フルセグ受信部１０２およびワンセグ受信部１０５で得られる画像信号を蓄積部１１０に一旦蓄積し、その後に再生された画像信号を用いてテロップ等の人工的画像を削除した画像を提示できる合成画像信号を生成して表示部１１２に供給する。
【００５９】
この図８に示す受信装置１００Ｂの動作を簡単に説明する。受信アンテナ１０１で捉えられた地上波デジタル放送信号はフルセグ受信部１０２およびワンセグ受信部１０５に供給される。フルセグ受信部１０２では所定チャネルの放送信号から高解像度デジタル画像信号が取得される。また、ワンセグ受信部１０５では所定チャネルの放送信号から低解像度デジタル画像信号が取得される。このようにフルセグ受信部１０２で得られる高解像度デジタル画像信号およびワンセグ受信部１０２で得られる低解像度デジタル画像信号は、それぞれ、記録部１０９で、誤り訂正符号化、変調等の処理が施されて、蓄積部１１０に記録される。
【００６０】
また、この蓄積部１１０から再生部１１１で再生される高解像度デジタル画像信号は誤り訂正、復調等の処理が施された後に、テロップ領域検出部１０３およびテロップ領域除去部１０４に供給される。
【００６１】
テロップ領域検出部１０３では、フルセグ受信部１０２で得られる高解像度デジタル画像信号による画像から、テロップ等の人工的画像が存在するテロップ領域ＴＬarが検出される（図５Ｂ参照）。テロップ領域除去部１０４では、フルセグ受信部１０２で得られる高解像度デジタル画像信号から、テロップ領域ＴＬarに対応した画素信号が除去される（図５Ｃ参照）。
【００６２】
また、蓄積部１１０から再生部１１１で再生される低解像度デジタル画像信号は誤り訂正、復調等の処理が施された後に、画像拡大部１０６に供給される。この画像拡大部１０６では、ワンセグ受信部１０５で得られる低解像度デジタル画像信号に対して画素数増大処理が施され、画素数が３２０×２４０画素から１９２０×１０８０画素に増大されて、高解像度デジタル画像信号に相当する拡大画像信号が生成される（図４、図５Ｅ参照）。この拡大画像信号はテロップ領域切り出し部１０７に供給される。
【００６３】
テロップ領域切り出し部１０７では、画像拡大部１０６で得られる拡大画像信号から、テロップ領域ＴＬarに対応した画素信号が切り出される（図５Ｆ参照）。このテロップ領域切り出し部１０７で切り出されたテロップ領域ＴＬarに対応した画素信号は合成部１０８に供給される。
【００６４】
合成部１０８には、テロップ領域除去部１０４でテロップ領域ＴＬarに対応した画素信号が除去された高解像度デジタル画像信号も供給される。そして、この合成部１０８では、この高解像度デジタル画像信号に、テロップ領域切り出し部１０７で切り出されたテロップ領域に対応した画素信号が合成され、合成画像信号が生成される（図５Ｇ参照）。そして、この合成画像信号は表示部１１２に供給され、この表示部１１２にはテロップ等の人工的画像が削除された画像が表示される。
【００６５】
図８に示す受信装置１００Ｂによれば、図１に示す受信装置１００と同様の効果を得ることができる。また、この図８に示す受信装置１００Ｂによれば、蓄積部１１０には、テロップ等の人工的画像の削除処理を行っていない高解像度デジタル画像信号が蓄積されているので、必要に応じてテロップ等の人工的画像が付加された画像を表示部１１２で表示することも可能である。
【００６６】
次に、この発明の別な実施の形態を説明する。図９は、別な実施の形態としての受信装置１００Ｃの構成を示している。この図９において、図１と対応する部分には同一符号を付し、その詳細説明は省略する。
【００６７】
図１に示す受信装置１００では、フルセグ受信部１０２およびワンセグ受信部１０５で得られる画像信号を用いてテロップ等の人工的画像を削除した画像を提示できる合成画像信号を生成し、この合成画像信号を、蓄積部１１０を介して表示部１１２に供給する構成となっている。
【００６８】
これに対して、図９に示す受信装置１００Ｃでは、フルセグ受信部１０２およびワンセグ受信部１０５で得られる画像信号を蓄積部１１０に一旦蓄積し、その後に再生された画像信号を用いてテロップ等の人工的画像を削除した画像を提示できる合成画像信号を生成し、この合成画像信号を、蓄積部１１０を介して表示部１１２に供給する。
【００６９】
この図９に示す受信装置１００Ｂの動作を簡単に説明する。受信アンテナ１０１で捉えられた地上波デジタル放送信号はフルセグ受信部１０２およびワンセグ受信部１０５に供給される。フルセグ受信部１０２では所定チャネルの放送信号から高解像度デジタル画像信号が取得される。また、ワンセグ受信部１０５では所定チャネルの放送信号から低解像度デジタル画像信号が取得される。このようにフルセグ受信部１０２で得られる高解像度デジタル画像信号およびワンセグ受信部１０２で得られる低解像度デジタル画像信号は、それぞれ、記録部１０９で、誤り訂正符号化、変調等の処理が施されて、蓄積部１１０に記録される。
【００７０】
また、この蓄積部１１０から再生部１１１で再生される高解像度デジタル画像信号は誤り訂正、復調等の処理が施された後に、テロップ領域検出部１０３およびテロップ領域除去部１０４に供給される。
【００７１】
テロップ領域検出部１０３では、フルセグ受信部１０２で得られる高解像度デジタル画像信号による画像から、テロップ等の人工的画像が存在するテロップ領域ＴＬarが検出される（図５Ｂ参照）。テロップ領域除去部１０４では、フルセグ受信部１０２で得られる高解像度デジタル画像信号から、テロップ領域ＴＬarに対応した画素信号が除去される（図５Ｃ参照）。
【００７２】
また、蓄積部１１０から再生部１１１で再生される低解像度デジタル画像信号は誤り訂正、復調等の処理が施された後に、画像拡大部１０６に供給される。この画像拡大部１０６では、ワンセグ受信部１０５で得られる低解像度デジタル画像信号に対して画素数増大処理が施され、画素数が３２０×２４０画素から１９２０×１０８０画素に増大されて、高解像度デジタル画像信号に相当する拡大画像信号が生成される（図４、図５Ｅ参照）。この拡大画像信号はテロップ領域切り出し部１０７に供給される。
【００７３】
テロップ領域切り出し部１０７では、画像拡大部１０６で得られる拡大画像信号から、テロップ領域ＴＬarに対応した画素信号が切り出される（図５Ｆ参照）。このテロップ領域切り出し部１０７で切り出されたテロップ領域ＴＬarに対応した画素信号は合成部１０８に供給される。
【００７４】
合成部１０８には、テロップ領域除去部１０４でテロップ領域ＴＬarに対応した画素信号が除去された高解像度デジタル画像信号も供給される。そして、この合成部１０８では、この高解像度デジタル画像信号に、テロップ領域切り出し部１０７で切り出されたテロップ領域に対応した画素信号が合成され、合成画像信号が生成される（図５Ｇ参照）。
【００７５】
そして、この画像合成信号は、記録部１０９で、誤り訂正符号化、変調等の処理が施されて、蓄積部１１０に記録される。そして、この蓄積部１１０から再生部１１１で再生される合成画像信号は誤り訂正、復調等の処理が施された後に表示部１１２に供給され、この表示部１１２にはテロップ等の人工的画像が削除された画像が表示される。
【００７６】
図９に示す受信装置１００Ｃによれば、図１に示す受信装置１００と同様の効果を得ることができる。また、この図９に示す受信装置１００Ｃによれば、蓄積部１１０から再生された画像信号を用いてテロップ等の人工的画像を削除した画像を提示できる合成画像信号を生成し、この合成画像信号を蓄積部１１０に蓄積するものである。したがって、合成画像信号を生成する処理を、受信部１０２，１０５における受信速度、表示部１１２における表示速度の影響を受けることなく、任意の速度で、また間欠的に行うことができる。
【００７７】
なお、上述実施の形態においては、第１の画像信号（高解像度デジタル画像信号）および第２の画像信号（低解像度デジタル画像信号）が地上波デジタル放送信号という同一経路で、同時に取得し得るものを示したが、第１の画像信号と第２の画像信号とが別経路で、あるいは時間差をもって取得し得るものであってもよい。
【００７８】
異なる経路としては、例えば第１の画像信号が地上波放送信号あるいは衛星放送信号から取得され、第２の画像信号がインターネット放送信号、あるいはＤＶＤプレーヤの再生信号から取得される場合等が考えられる。また、時間差をもって取得し得る場合としては、第１の画像信号が放送された後に、第２の画像信号が再放送として放送される場合、第１の画像信号が放送から取得され、その後に第２の画像信号がＤＶＤプレーヤの再生信号から取得される場合等が考えられる。
【００７９】
このように第１の画像信号と第２の画像信号とが別経路で、あるいは時間差をもって取得される場合、これらが同一のコンテンツに係る画像を提示するものであることを判断する必要がある。この判断は、例えば第１、第２の画像信号に含まれる識別子を用いて、これら第１、第２の画像信号に含まれるメタデータとしてのタイトルを比較して、あるいはそれぞれの画像の特徴を検出して、行うことができる。
【００８０】
また、上述実施の形態においては、第１の画像信号が高解像度デジタル画像信号であり、第２の画像信号が低解像度デジタル画像信号であるものを示したが、第１、第２の画像信号が同一の解像度に係るものであってもこの発明を同様に適用できる。同一の解像度に係るものであっても、テロップ領域が互いに異なる場合には、この発明を用いてテロップ等の人工的画像が削除された画像を提示し得る合成画像信号を良好に得ることができる。この場合には、画素数増大処理は不要である。
【産業上の利用可能性】
【００８１】
この発明は、特殊な情報を用いることなくテロップ等の人工的画像の削除された良好な画像を提示できるものであり、例えば地上波デジタル放送受信機等に適用できる。
【図面の簡単な説明】
【００８２】
【図１】実施の形態としての受信装置の構成を示すブロック図である。
【図２】地上波デジタル放送における１チャネル分のセグメント（ＯＦＤＭセグメント）を示す図である。
【図３】テロップ検出方法の一例を説明するための図である。
【図４】低解像度デジタル画像信号を高解像度デジタル画像信号に相当する拡大画像信号とするための画素数増大処理を説明するための図である。
【図５】高解像度デジタル画像信号および低解像度デジタル画像信号を用いてテロップ等の人工的画像が削除された合成画像信号を得るための過程を模式的に示す図である。
【図６】他の実施の形態としての受信装置の構成を示すブロック図である。
【図７】テロップ検出方法の他の例を説明するための図である。
【図８】他の実施の形態としての受信装置の構成を示すブロック図である。
【図９】他の実施の形態としての受信装置の構成を示すブロック図である。
【符号の説明】
【００８３】
１００，１００Ａ〜１００Ｃ・・・受信装置、１０１・・・受信アンテナ、１０２・・・フルセグ受信部、１０３，１０３Ａ・・・テロップ領域検出部、１０４・・・テロップ領域除去部、１０５・・・ワンセグ受信部、１０６・・・画像拡大部、１０７・・・テロップ領域切り出し部、１０８・・・合成部、１０９・・・記録部、１１０・・・蓄積部、１１１・・・再生部、１１２・・・表示部、１１３・・・差分検出部
【図１】
2007336405.tif 000003
【図２】
2007336405.tif 000004
【図３】
2007336405.tif 000005
【図４】
2007336405.tif 000006
【図５】
2007336405.tif 000007
【図６】
2007336405.tif 000008
【図７】
2007336405.tif 000009
【図８】
2007336405.tif 000010
【図９】
2007336405.tif 000011